(57)【要約】【課題】公開特許公報の要旨をより正確に表す語句を提供することが可能な特許分析装置、特許分析システム、特許分析方法を提供する。【解決手段】主装置３２は、入力装置３１が受け付けた入力情報にしたがって公報ＤＢ装置１から分析用公開特許公報を取得すると、その分析用公開特許公報に含まれる文書を言語分析処理して、公開特許公報ごとに、課題に関する語句（仮の課題語と、仮の課題カテゴリ）と、課題の解決手法に関する語句（仮の解決語と、仮の解決カテゴリ）を抽出する。さらに、主装置３２は、公開特許公報ごとに、その公報の特許分類の説明文を、分類ＤＢ装置２から入手し、公開特許公報ごとに、課題に関する語句と課題の解決手法に関する語句との妥当性を、特許分類の説明文を用いて検証し、精査して、分析用公開特許公報の要旨を表す語句（課題語、課題カテゴリ、解決語および解決カテゴリ）を決定する。【選択図】図１
2007148630.tif 000002
【特許請求の範囲】
【請求項１】
文書および特許分類を含む特許文献を格納する公報データベース装置と、前記特許分類ごとに該特許分類の説明文を格納する分類データベース装置と、に接続され、前記公報データベース装置から取得した特許文献を、前記分類データベース装置を用いて分析する特許分析装置であって、
分析用特許文献を特定するための入力情報を受け付ける入力部と、
前記入力部が受け付けた入力情報にて特定される分析用特許文献を前記公報データベース装置から取得し、該分析用特許文献に含まれる特許分類の説明文を前記分類データベース装置から入手し、該分析用特許文献に含まれる文書と、該特許分類の説明文と、に基づいて、該分析用特許文献の要旨を表す語句を決定する制御部と、
前記制御部が決定した語句を表示する表示部と、を含む特許分析装置。
【請求項２】
請求項１に記載の特許分析装置において、
前記制御部は、前記分析用特許文献に含まれる文書から、課題に関する語句と、課題の解決手法に関する語句と、を抽出し、前記特許分類の説明文から語句を抽出し、前記課題に関する語句と、前記課題の解決手法に関する語句と、前記特許分類の説明文から抽出された語句と、に基づいて、前記分析用特許文献の要旨を表す語句を決定する、特許分析装置。
【請求項３】
請求項２に記載の特許分析装置において、
前記課題に関する語句は、前記課題を示す課題語と、前記課題のカテゴリを示す課題カテゴリとからなり、
前記課題の解決手法に関する語句は、前記解決手法を示す解決語と、前記解決手法のカテゴリを示す解決カテゴリとからなる、特許分析装置。
【請求項４】
請求項２または３に記載の特許分析装置において、
前記制御部は、前記分析用特許文献に含まれる文書から抽出された語句が、前記特許分類の説明文から抽出された語句と一致すると、該語句は、前記分析用特許文献の要旨を表す重要語句であると決定する、特許分析装置。
【請求項５】
請求項２ないし４のいずれか１項に記載の特許分析装置において、
前記制御部は、語句ごとに類義語を記憶してある類義語辞書を有し、
前記分析用特許文献に含まれる文書から抽出された語句の類義語が、前記特許分類の説明文から抽出された語句と一致すると、該類義語は、前記分析用特許文献の要旨を表す重要語句であると決定する、特許分析装置。
【請求項６】
請求項５に記載の特許分析装置において、
前記入力部は、前記表示部に表示された分析用特許文献の要旨を表す語句を修正する旨の修正指示を、さらに受け付け、
前記制御部は、前記入力部が受け付けた修正指示に基づいて、前記表示部に表示された前記語句を修正する、特許分析装置。
【請求項７】
文書および特許分類を含む特許文献を格納する公報データベース装置と、前記特許分類ごとに該特許分類の説明文を格納する分類データベース装置と、請求項１ないし６のいずれか１項に記載の特許分析装置と、を含む特許分析システム。
【請求項８】
文書および特許分類を含む特許文献を格納する公報データベース装置と、前記特許分類ごとに該特許分類の説明文を格納する分類データベース装置と、に接続され、前記公報データベース装置から取得した特許文献を、前記分類データベース装置を用いて分析する特許分析装置が行う特許分析方法であって、
分析用特許文献を特定するための入力情報を受け付ける入力ステップと、
前記入力情報にて特定される分析用特許文献を前記公報データベース装置から取得する取得ステップと、
前記分析用特許文献に含まれる特許分類の説明文を前記分類データベース装置から入手する入手ステップと、
前記分析用特許文献に含まれる文書と、該特許分類の説明文と、に基づいて、該分析用特許文献の要旨を表す語句を決定する決定ステップと、
前記決定された語句を表示する表示ステップと、を含む特許分析方法。
【請求項９】
請求項８に記載の特許分析方法において、
前記決定ステップでは、前記分析用特許文献に含まれる文書から、課題に関する語句と、課題の解決手法に関する語句と、を抽出し、前記特許分類の説明文から語句を抽出し、前記課題に関する語句と、前記課題の解決手法に関する語句と、前記特許分類の説明文から抽出された語句と、に基づいて、前記分析用特許文献の要旨を表す語句を決定する、特許分析方法。
【請求項１０】
請求項９に記載の特許分析方法において、
前記課題に関する語句は、前記課題を示す課題語と、前記課題のカテゴリを示す課題カテゴリとからなり、
前記課題の解決手法に関する語句は、前記解決手法を示す解決語と、前記解決手法のカテゴリを示す解決カテゴリとからなる、特許分析方法。
【請求項１１】
請求項９または１０に記載の特許分析方法において、
前記決定ステップでは、前記分析用特許文献に含まれる文書から抽出された語句が、前記特許分類の説明文から抽出された語句と一致すると、該語句は、前記分析用特許文献の要旨を表す重要語句であると決定する、特許分析方法。
【請求項１２】
請求項９ないし１１のいずれか１項に記載の特許分析方法において、
前記特許分析装置は、語句ごとに類義語を記憶してある類義語辞書を有し、
前記決定ステップでは、前記分析用特許文献に含まれる文書から抽出された語句の類義語が、前記特許分類の説明文から抽出された語句と一致すると、該類義語は、前記分析用特許文献の要旨を表す重要語句であると決定する、特許分析方法。
【請求項１３】
請求項１２に記載の特許分析方法において、
前記表示された分析用特許文献の要旨を表す語句を修正する旨の修正指示を受け付ける受付ステップと、
前記修正指示に基づいて、前記表示された語句を修正する修正ステップと、をさらに含む、特許分析方法。
【請求項１４】
文書および特許分類を含む特許文献を格納する公報データベース装置と、前記特許分類ごとに該特許分類の説明文を格納する分類データベース装置と、に接続されたコンピュータに、特許分析処理を実行させるプログラムであって、
分析用特許文献を特定するための入力情報を受け付ける入力処理と、
前記入力情報にて特定される分析用特許文献を前記公報データベース装置から取得する取得処理と、
前記分析用特許文献に含まれる特許分類の説明文を前記分類データベース装置から入手する入手処理と、
前記分析用特許文献に含まれる文書と、該特許分類の説明文と、に基づいて、該分析用特許文献の要旨を表す語句を決定する決定処理と、を含む特許分析処理を、前記コンピュータに実行させるプログラム。
【発明の詳細な説明】
【技術分野】
【０００１】
本発明は、特許分析装置、特許分析システム、特許分析方法およびプログラムに関し、特には、特許文献の要旨を表す語句を決定する特許分析装置、特許分析システム、特許分析方法およびプログラムに関する。
【背景技術】
【０００２】
従来の特許分析プログラムおよび装置の一例が、特許文献１（特開２００４−１５２２４３号公報）に記載されている。
【０００３】
特許文献１に記載の特許分析プログラムおよび装置は、特許明細書等の特許情報を分析して特許情報からキーワードを抽出し、そのキーワードに基づいて特許マップを作成する。具体的には、この装置は、ユーザにて指定されたキーワードを含む特許情報の件数を示す特許マップを作成する。
【０００４】
また、特許文献２（特開２００２−１７５３３１号公報）には、特許文献に付与された特許分類を抽出し、その特許分類のタイトルを表示する特許分類表示装置が記載されている。
【特許文献１】特開２００４−１５２２４３号公報
【特許文献２】特開２００２−１７５３３１号公報
【発明の開示】
【発明が解決しようとする課題】
【０００５】
特許文献１に記載の装置は、キーワードを含む特許情報の件数を示す特許マップを作成するため、特殊なキーワードが明細書に記載された場合、その特許情報を抽出できない可能性を有する。つまり、特許文献１に記載の装置では、他の特許情報との比較を容易にする語句、すなわち、特許情報の要旨を表す語句を高精度で抽出できない。そのため、その作成された特許マップの信頼性が乏しくなる。
【０００６】
また、従来、この種の特許分析プログラムおよび装置は、言語処理技術を用いて、公開特許公報の要旨を示す語句を抽出している。しかしながら、公開特許公報などの特許文献では、文書が独特であるため、通常の言語処理技術では、必ずしも利用者が期待するような語句が抽出されなかった。
【０００７】
また、特許文献２に記載の特許分類表示装置では、特許文献に付与された特許分類のタイトルが表示されるが、公開特許公報の要旨を表す語句を高精度で抽出できない。
【０００８】
本発明の目的は、特許文献の要旨をより正確に表す語句をユーザに提供することが可能な特許分析装置、特許分析システム、特許分析方法およびプログラムを提供することである。
【課題を解決するための手段】
【０００９】
上記目的を達成するために、本発明の特許分析装置は、文書および特許分類を含む特許文献を格納する公報データベース装置と、前記特許分類ごとに該特許分類の説明文を格納する分類データベース装置と、に接続され、前記公報データベース装置から取得した特許文献を、前記分類データベース装置を用いて分析する特許分析装置であって、分析用特許文献を特定するための入力情報を受け付ける入力部と、前記入力部が受け付けた入力情報にて特定される分析用特許文献を前記公報データベース装置から取得し、該分析用特許文献に含まれる特許分類の説明文を前記分類データベース装置から入手し、該分析用特許文献に含まれる文書と、該特許分類の説明文と、に基づいて、該分析用特許文献の要旨を表す語句を決定する制御部と、前記制御部が決定した語句を表示する表示部とを含む。
【００１０】
また、本発明の特許分析方法は、文書および特許分類を含む特許文献を格納する公報データベース装置と、前記特許分類ごとに該特許分類の説明文を格納する分類データベース装置と、に接続され、前記公報データベース装置から取得した特許文献を、前記分類データベース装置を用いて分析する特許分析装置が行う特許分析方法であって、分析用特許文献を特定するための入力情報を受け付ける入力ステップと、前記入力情報にて特定される分析用特許文献を前記公報データベース装置から取得する取得ステップと、前記分析用特許文献に含まれる特許分類の説明文を前記分類データベース装置から入手する入手ステップと、前記分析用特許文献に含まれる文書と、該特許分類の説明文と、に基づいて、該分析用特許文献の要旨を表す語句を決定する決定ステップと、前記決定された語句を表示する表示ステップとを含む。
【００１１】
また、本発明の特許分析システムは、文書および特許分類を含む特許文献を格納する公報データベース装置と、前記特許分類ごとに該特許分類の説明文を格納する分類データベース装置と、上記特許分析装置とを含む。
【００１２】
上記発明によれば、分析用特許文献の要旨を表す語句が、分析用特許文献に含まれる文書と、分析用特許文献に含まれる特許分類の説明文と、に基づいて決定される。特許分類は、特許文献の特徴を示し、その説明文は、一般的な語句で作成されている。
【００１３】
このため、分析用特許文献の要旨を表す語句が、分析用特許文献に含まれる文書のみに基づいて決定される場合に比べて、その決定された語句が、分析用特許文献の要旨をより正確に表すようにすることが可能になる。
【００１４】
また、例えば、その特許文献の要旨が、特許マップを作成するためのデータとして用いられれば、精度の高い特許マップを作成することが可能になる。
【００１５】
なお、前記制御部は、前記分析用特許文献に含まれる文書から、課題に関する語句と、課題の解決手法に関する語句と、を抽出し、前記特許分類の説明文から語句を抽出し、前記課題に関する語句と、前記課題の解決手法に関する語句と、前記特許分類の説明文から抽出された語句と、に基づいて、前記分析用特許文献の要旨を表す語句を決定することが望ましい。
【００１６】
上記発明によれば、課題に関する語句と、課題の解決手法に関する語句が、分析用特許文献の要旨を示しているか否かを、特許分類の説明文を利用して精査することが可能になる。よって、分析用特許文献の要旨を示す語句を高精度で決定することが可能になる。
【００１７】
また、前記課題に関する語句は、前記課題を示す課題語と、前記課題のカテゴリを示す課題カテゴリとからなり、前記課題の解決手法に関する語句は、前記解決手法を示す解決語と、前記解決手法のカテゴリを示す解決カテゴリとからなることが望ましい。
【００１８】
また、前記制御部は、前記分析用特許文献に含まれる文書から抽出された語句が、前記特許分類の説明文から抽出された語句と一致すると、該語句は、前記分析用特許文献の要旨を表す重要語句であると決定することが望ましい。
【００１９】
上記発明によれば、特許文献から抽出された語句の中で、特許文献の特徴を示す可能性の高い語句を、重要語句にすることが可能となる。
【００２０】
また、前記制御部は、語句ごとに類義語を記憶してある類義語辞書を有し、前記分析用特許文献に含まれる文書から抽出された語句の類義語が、前記特許分類の説明文から抽出された語句と一致すると、該類義語は、前記分析用特許文献の要旨を表す重要語句であると決定することが望ましい。
【００２１】
特許分類の説明文は、一般的な語句で作成されている。このため、上記発明によれば、特許文献の特徴を示す可能性の高い語句が、一般的な語句に置き換えられ、その一般的な語句を重要語句にすることが可能になる。よって、特許文献の要旨を表す語句を、特殊な語でなく、一般的な語句にすることが可能になる。
【００２２】
また、前記入力部は、前記表示部に表示された分析用特許文献の要旨を表す語句を修正する旨の修正指示を、さらに受け付け、前記制御部は、前記入力部が受け付けた修正指示に基づいて、前記表示部に表示された前記語句を修正することが望ましい。
【００２３】
上記発明によれば、表示部に表示された特許文献の要旨を表す語句が、ほとんど一般的な語句になるため、分析者は、その語句が妥当か否かを容易に理解でき、分析者は、その語句を修正する作業を効率的に行える。
【００２４】
また、本発明のプログラムは、文書および特許分類を含む特許文献を格納する公報データベース装置と、前記特許分類ごとに該特許分類の説明文を格納する分類データベース装置と、に接続されたコンピュータに、特許分析処理を実行させるプログラムであって、分析用特許文献を特定するための入力情報を受け付ける入力処理と、前記入力情報にて特定される分析用特許文献を前記公報データベース装置から取得する取得処理と、前記分析用特許文献に含まれる特許分類の説明文を前記分類データベース装置から入手する入手処理と、前記分析用特許文献に含まれる文書と、該特許分類の説明文と、に基づいて、該分析用特許文献の要旨を表す語句を決定する決定処理と、を含む特許分析処理を、前記コンピュータに実行させる。
【００２５】
上記発明によれば、上記特許分析方法をコンピュータに実行させることが可能になる。
【発明の効果】
【００２６】
本発明によれば、特許文献の要旨をより正確に表す語句をユーザに提供することが可能になる。
【発明を実施するための最良の形態】
【００２７】
以下、本発明の実施例を、図面を参照して説明する。
【００２８】
図１は、本発明の一実施例の特許分析システムを示したブロック図である。
【００２９】
図１において、本特許分析システムは、特許公開公報データベース装置（以下「公報ＤＢ装置」と称する。）１と、特許分類コードデータベース装置（以下「分類ＤＢ装置」と称する。）２と、特許分析装置３とを含む。特許分析装置３は、少なくとも、入力装置（入力部）３１と、データ処理のための主装置（制御部）３２と、表示装置（表示部）３３と、記憶装置３４とを含む。
【００３０】
公報ＤＢ装置１と、分類ＤＢ装置２と、特許分析装置３とは、ＬＡＮ等のネットワーク４を介して相互に接続されている。
【００３１】
公報ＤＢ装置１は、電子化された公開特許公報を格納する。公報ＤＢ装置１は、特許検索システムなどによって絞り込まれた公開特許公報も格納している。なお、公開特許公報は、特許文献の一例である。
【００３２】
公開特許公報は、書誌事項、特許請求の範囲、明細書、図面および要約書を含む。書誌事項は、少なくとも、ＩＰＣ、ＦＩおよびＦターム等の特許分類を含む。特許請求の範囲、明細書および要約書は、文書である。
【００３３】
分類ＤＢ装置２は、ＩＰＣ、ＦＩおよびＦターム等の特許分類ごとに、特許分類の説明文を格納する。なお、この説明文は、技術分類名称を含む。
【００３４】
特許分析装置３は、パーソナルコンピュータ（ＰＣ）または他の情報処理装置であり、分析者によって使用される。特許分析装置３は、プログラムを実行することによって種々の動作を実行する。
【００３５】
入力装置３１は、キーボードまたはマウスであり、分析者から、分析用公開特許公報を特定するための入力情報（例えば、公開番号）を受け付ける。
【００３６】
主装置３２は、例えば、ＣＰＵ等のコンピュータであり、メモリ（不図示）に格納されたプログラムを実行して以下のような動作を行う。
【００３７】
主装置３２は、入力装置３１が受け付けた入力情報にしたがって、分析用公開特許公報を公報ＤＢ装置１から取得し、その後、分析用公開特許公報に含まれる特許分類の説明文を、分類ＤＢ装置２から入手する。主装置３２は、分析用公開特許公報に含まれる文書と、特許分類の説明文と、に基づいて、分析用公開特許公報の要旨を表す語句を決定する。
【００３８】
具体的には、主装置３２は、分析用公開特許公報を取得すると、その分析用公開特許公報に含まれる文書を言語分析処理して、公開特許公報ごとに、課題に関する語句（仮の課題語と、仮の課題カテゴリ）と、課題の解決手法に関する語句（仮の解決語と、仮の解決カテゴリ）を抽出する。
【００３９】
さらに、主装置３２は、公開特許公報ごとに、その公報の特許分類の説明文を、分類ＤＢ装置２から入手し、公開特許公報ごとに、課題に関する語句と課題の解決手法に関する語句との妥当性を、特許分類の説明文を用いて検証し、精査して、分析用公開特許公報の要旨を表す語句（課題語、課題カテゴリ、解決語および解決カテゴリ）を決定する。
【００４０】
なお、主装置３２は、語句ごとに類義語を記憶してある類義語辞書を有する。
【００４１】
表示装置３３は、主装置３２が決定した語句（課題語、課題カテゴリ、解決語および解決カテゴリ）を表示する。
【００４２】
次に、動作を説明する。
【００４３】
図２は、本特許分析システムの動作を説明するためのフローチャートである。以下、図２を参照して本特許分析システムの動作を説明する。
【００４４】
分析者が、分析用特許公報を特定するための入力情報を、入力装置３１に入力すると、主装置３２は、ステップＡ１を実行する。
【００４５】
ステップＡ１では、主装置３２は、公報ＤＢ装置１にアクセスし、その入力情報にしたがって、分析用公開特許公報を抽出する。公報ＤＢ装置１は、分析用公開特許公報が抽出されると、ステップＡ２を実行する。
【００４６】
ステップＡ２では、公報ＤＢ装置１は、分析用公開特許公報を、特許分析装置３に送信する。特許分析装置３の主装置３２は、分析用公開特許公報を受け付けると、ステップＡ３を実行する。
【００４７】
ステップＡ３では、主装置３２は、分析用公開特許公報の文書から、仮の課題語、仮の解決語、仮の課題カテゴリおよび仮の解決カテゴリを抽出する。なお、主装置３２は、複数の分析用公開特許公報を受け付けたときには、分析用公開特許公報ごとに、それらを抽出する。
【００４８】
主装置３２は、形態素解析等を用いた構文解析処理と、抽出ルールに基づいた抽出処理と、後処理との３ステップにより、仮の課題語と、仮の解決語を抽出する。
【００４９】
構文解析処理では、主装置３２は、分析用公開特許公報に含まれる要約書の文書を、主語、述語、目的語および修飾語に分解する。
【００５０】
その後、主装置３２は、仮の課題語候補として、要約書の課題の欄から「（目的語）の（修飾語）」（例えば「処理速度の高速化」）を抜き出す。
【００５１】
また、主装置３２は、仮の解決語として、要約書の解決手段の欄から「（主語）ｏｒ（目的語）＋（述語）」（例えば「端子が接続されている」）を抜き出す。
【００５２】
抽出処理では、主装置３２は、課題語抽出ルールに基づいて、仮の課題語候補の中から仮の課題語を抽出する。なお、課題語抽出ルールは、例えば、仮の課題語候補の後ろに「を目的とした」または「のために」が付いていれば、仮の課題語候補を仮の課題語として抽出する、というルールである。
【００５３】
後処理では、主装置３２は、抜き出された仮の課題語および仮の解決語が長すぎる場合、その仮の語から、自動的に２００バイト以内かつ区切りの良いところ（句読点）を切り出す。
【００５４】
また、主装置３２は、形態素解析等を用いた構文解析処理と、カテゴリ抽出ルールに基づいた抽出処理により、仮の課題カテゴリと、仮の解決カテゴリを抽出する。
【００５５】
構文解析処理では、主装置３２は、分析用公開特許公報に含まれる要約書の文書を、単語に分解する。
【００５６】
抽出処理では、主装置３２は、要約書の課題の欄に含まれる各単語について、その出現数をカウントし、そのカウント数が上位のもの（例えば上位３つ）を、仮の課題カテゴリとして抽出する。また、主装置３２は、要約書の解決手段の欄に含まれる各単語について、その出現数をカウントし、そのカウント数が上位のもの（例えば上位３つ）を、仮の解決カテゴリとして抽出する。
【００５７】
主装置３２は、仮の課題語、仮の解決語、仮の課題カテゴリおよび仮の解決カテゴリを抽出すると、ステップＡ４を実行する。
【００５８】
ステップＡ４では、主装置３２は、分析用公開特許公報ごとに、仮の課題語、仮の解決語、仮の課題カテゴリおよび仮の解決カテゴリを、一時的に記憶装置３４に格納し、その後、ステップＡ５を実行する。
【００５９】
ステップＡ５では、主装置３２は、分析用公開特許公報ごとに、ＩＰＣ、ＦＩおよびＦタームなどの特許分類を抽出し、その抽出された特許分類に基づいて分類ＤＢ装置２にアクセスする。分類ＤＢ装置２は、特許分類を受け付けると、ステップＡ６を実行する。
【００６０】
ステップＡ６では、分類ＤＢ装置２は、その特許分類に対応する説明文を、特許分析装置３に送信する。特許分析装置３の主装置３２は、特許分類の説明文を受け付けると、ステップＡ７を実行する。
【００６１】
ステップＡ７では、主装置３２は、分類ＤＢ装置２から取得した特許分類の説明文から語句を抽出する。例えば、主装置３２は、特許分類の説明文を形態素解析して語句を抽出する。なお、複数の分析用公開特許公報が存在するときには、主装置３２は、分析用公開特許公報ごとに、特許分類の説明文から語句を抽出する。
【００６２】
主装置３２は、特許分類の説明文から語句を抽出すると、ステップＡ８を実行する。
【００６３】
ステップＡ８では、主装置３２は、分析用の公開特許公報ごとに、特許分類の説明文から抽出された語を利用して、記憶装置３４に格納されている仮の課題語、仮の解決語、仮の課題カテゴリおよび仮の解決カテゴリを精査し、分析用公開特許公報の要旨を表す語句（課題語、解決語、課題カテゴリおよび解決カテゴリ）を決定する。
【００６４】
具体的には、主装置３２は、以下のように、仮の課題語、仮の解決語、仮の課題カテゴリおよび仮の解決カテゴリを精査する。
【００６５】
（１）主装置３２は、言語処理技術にて公開特許公報から抽出された語句（仮の課題語、仮の解決語、仮の課題カテゴリおよび仮の解決カテゴリ）の中で、その語句が、その公開特許公報に含まれる特許分類の説明文から抽出された語句と一致すると、その語句を重要語（課題語、解決語、課題カテゴリまたは解決カテゴリ）とみなす。
【００６６】
また、主装置３２は、仮の課題語、仮の解決語、仮の課題カテゴリおよび仮の解決カテゴリの中で、その語句の類義語が、その語句が抽出された公開特許公報に含まれる特許分類の説明文から抽出された語句と一致すると、その仮の語句にかえて、その類義語を、重要語（課題語、解決語、課題カテゴリまたは解決カテゴリ）とみなす。
【００６７】
なお、主装置３２は、類義語辞書（シソーラス辞書）を用いて、仮の課題語、仮の解決語、仮の課題カテゴリおよび仮の解決カテゴリの類義語を選ぶ。
【００６８】
（２）主装置３２は、仮の課題語、仮の解決語、仮の課題カテゴリおよび仮の解決カテゴリの中で、それらの語句が抽出された公開特許公報に含まれる特許分類の説明文に含まれている語句と一致しない、または、類似しないものを削除する。
【００６９】
（３）主装置３２は、仮の課題語の中で、その語句が抽出された公開特許公報に含まれるＦタームの観点で「課題または目的」（例えば、５Ｂ０３５ＡＡ）に含まれる語句と一致または類似するものがあれば、その語句を、課題語として重要と重みづけする。
【００７０】
（４）主装置３２は、構成に関する語句を、各公報の請求項１および独立項から言語処理技術を用いて抽出している場合、その構成に関する語句の中で、その語句が抽出された公開特許公報に含まれるＦタームの観点で「構成」（例えば、５Ｂ０３５ＢＡ）に含まれる語句と一致または類似するものがあれば、その語句を、構成に関する語句として重要と重みづけする。
【００７１】
（５）主装置３２は、仮の解決語の中で、その語句が抽出された公開特許公報に含まれるＦタームの観点で「〜手段（なお、方法、〜方法という観点があれば「手段」とみなす。）」（例えば、４Ｂ０２１ＭＰ）に含まれる語句と一致または類似するものがあれば、その語句を、解決語として重要と重みづけする。
【００７２】
なお、重み付けに関しては、主装置３２は、語句の出現回数を考慮してもよい。例えば、主装置３２は、出現回数が多い語句ほど重要であるとみなす。
【００７３】
また、主装置３２は、公報から抽出された語句またはその類似語が、特許分類の上位（上位概念）の説明文に存在するか否かに基づいて、その語句の重みづけを行ってもよい。例えば、主装置３２は、公報から抽出された語句が、特許分類の上位（上位概念）の説明文に存在すると、その語句を重要語とみなす。
【００７４】
主装置３２は、課題語、解決語、課題カテゴリおよび解決カテゴリを決定すると、ステップＡ９を実行する。
【００７５】
ステップＡ９では、主装置３２は、精査された課題語、解決語、課題カテゴリおよび解決カテゴリを表示装置３３に表示する。その後、分析者が、入力装置１１を操作して、精査された課題語、解決語、課題カテゴリ、解決カテゴリを修正すると、主装置３２は、ステップＡ１０を実行する。ステップＡ１０では、主装置３２は、その修正された課題語、解決語、課題カテゴリおよび解決カテゴリを最終結果として表示装置３３に表示する。
【００７６】
このように、抽出された語句が、意味的に近いか遠いかを分析者が簡単に判断できるように、いきなり最終結果のみを表示するのではなく、公報から抽出した語句が、特許分類を活用して代表語に置き換えられ、利用者が理解しやすい「課題語、解決語、課題カテゴリおよび解決カテゴリ」が最終結果前に表示される。
【００７７】
本実施例によれば、以下の効果を奏する。
【００７８】
第１の効果は、自動的に抽出される課題語、解決語、カテゴリが、より利用者の期待する語に近づくことにある。
【００７９】
その理由は、特許分析装置３が、言語処理技術によって自動的に公開特許公報から抽出された語句を、特許分類の説明文を利用して精査するからである。
【００８０】
第２の効果は、分析者が語句を修正する作業を効率化できることにある。
【００８１】
その理由は、特許分析装置３が、言語処理技術によって自動的に抽出された語句を、より一般的かつ代表的な語句に置き換えるからである。
【００８２】
本実施例では、主装置３２は、分析用特許文献の要旨を表す語句を、分析用特許文献に含まれる文書と、分析用特許文献に含まれる特許分類の説明文と、に基づいて決定する。特許分類は、特許文献の特徴を示し、その説明文は、一般的な語句で作成されている。
【００８３】
このため、分析用特許文献の要旨を表す語句が、分析用特許文献に含まれる文書のみに基づいて決定される場合に比べて、その決定された語句が、分析用特許文献の要旨をより正確に表すようにすることが可能になる。
【００８４】
よって、技術者または特許サーチャー等の分析者が、効率的に特許公報を読み込むことが可能になる。
【００８５】
また、例えば、その語句が、特許マップを作成するためのデータとして用いられれば、精度の高い特許マップを作成することが可能になる。
【００８６】
また、本実施例では、主装置３２は、分析用特許文献に含まれる文書から、課題に関する語句と、課題の解決手法に関する語句と、を抽出し、特許分類の説明文から語句を抽出し、課題に関する語句と、課題の解決手法に関する語句と、特許分類の説明文から抽出された語句と、に基づいて、分析用特許文献の要旨を表す語句を決定する。
【００８７】
この場合、課題に関する語句と、課題の解決手法に関する語句が、分析用特許文献の要旨を示しているか否かを、特許分類の説明文を利用して精査することが可能になる。よって、分析用特許文献の要旨を示す語句を高精度で決定することが可能になる。
【００８８】
また、本実施例では、主装置３２は、分析用特許文献に含まれる文書から抽出された語句が、特許分類の説明文から抽出された語句と一致すると、その語句は、分析用特許文献の要旨を表す重要語句であると決定する。
【００８９】
この場合、特許文献から抽出された語句の中で、特許文献の特徴を示す可能性の高い語句を、重要語句にすることが可能となる。
【００９０】
また、本実施例では、主装置３２は、語句ごとに類義語を記憶してある類義語辞書を有し、分析用特許文献に含まれる文書から抽出された語句の類義語が、特許分類の説明文から抽出された語句と一致すると、その類義語は、分析用特許文献の要旨を表す重要語句であると決定する。
【００９１】
特許分類の説明文は、一般的な語句で作成されている。このため、特許文献の特徴を示す可能性の高い語句が、一般的な語句に置き換えられ、その一般的な語句を重要語句にすることが可能になる。よって、特許文献の要旨を表す語句を、特殊な語でなく、一般的な語句にすることが可能になる。
【００９２】
また、本実施例では、入力装置３１は、表示装置３３に表示された分析用特許文献の要旨を表す語句を修正する旨の修正指示を受け付け、主装置３２は、入力装置３１が受け付けた修正指示に基づいて、表示装置３３に表示された語句を修正する。
【００９３】
この場合、表示装置３３に表示された特許文献の要旨を表す語句が、ほとんど一般的な語句になるため、分析者は、その語句が妥当か否かを容易に理解でき、分析者は、その語句を修正する作業を効率的に行える。
【００９４】
以上説明した実施例において、図示した構成は単なる一例であって、本発明はその構成に限定されるものではない。
【図面の簡単な説明】
【００９５】
【図１】本発明の一実施例の特許分析システムを示したブロック図である。
【図２】本特許分析システムの動作を説明するためのフローチャートである。
【符号の説明】
【００９６】
１      特許公開公報データベース装置
２      特許分類コードデータベース装置
３      特許分析装置
３１    入力装置
３２    主装置
３３    表示装置
３４    記憶装置
４      ネットワーク
【図１】
2007148630.tif 000003
【図２】
2007148630.tif 000004